(57)【要約】【課題】軽量化が可能、且つ、ユニットを収容するスペースを拡大可能なサブラック及びラックを提供すること。【解決手段】サブラックは、一対の板部材と、一対のレールと、を含む。一対の板部材は対向して設けられる。レールは、収容する被収容物をスライド可能、且つ、配置可能な矩形状の開口、及び、前記開口の前記被収容物のスライド方向に沿った縁部に設けられ、対向する前記板部材とは反対側に延びる、前記被収容物のスライド移動を案内するレール部を含む。一対のレールは、前記一対の板部材の対向する位置に形成される。【選択図】      図１
2020191424.tif 000002
【特許請求の範囲】
【請求項１】
対向して設けられる一対の板部材と、
収容する被収容物をスライド可能、且つ、配置可能な矩形状の開口、及び、前記開口の前記被収容物のスライド方向に沿った縁部に設けられ、対向する前記板部材とは反対側に延びる、前記被収容物のスライド移動を案内するレール部を含む、前記一対の板部材の対向する位置に形成される一対のレールと、
を備えるサブラック。
【請求項２】
前記板部材は、矩形状の板部、及び、前記板部の正面側の縁部に設けられたフランジ部を有し、
前記開口は、前記板部の背面側から前記板部の正面の縁部及び前記フランジ部に渡って設けられ、
前記レール部は、前記板部の背面側から前記板部の正面側に渡って設けられる、請求項１に記載のサブラック。
【請求項３】
前記レール部は、前記板部材の一部により構成される、請求項１に記載のサブラック。
【請求項４】
前記一対の板部材を連結する連結部材を備える、請求項１に記載のサブラック。
【請求項５】
請求項１乃至請求項４のいずれか一項に記載のサブラックと、
前記サブラックが固定されるフレームと、
を備えるラック。
【発明の詳細な説明】
【技術分野】
【０００１】
本発明の実施形態は、サブラック及びラックに関する。
【背景技術】
【０００２】
電子ユニット等のユニットを複数収容するラックとして、複数の電子ユニットを着脱可能に収容するサブラックを複数設ける技術が知られている。このようなラックに用いられるサブラックは、対向する一対のレールを複数有する。一対のレールは、サブラックを構成する対向する一対の板にそれぞれ設けられる。そして、一対のレールは、電子ユニットをスライドさせるとともに、サブラック内に配置された電子ユニットを保持する。
【先行技術文献】
【特許文献】
【０００３】
【特許文献１】特開２０１２−４９１９７号公報
【発明の概要】
【発明が解決しようとする課題】
【０００４】
本発明が解決しようとする課題は、軽量化が可能、且つ、ユニットを収容するスペースを拡大可能なサブラック及びラックを提供することである。
【課題を解決するための手段】
【０００５】
実施形態のサブラックは、一対の板部材と、一対のレールと、を含む。一対の板部材は対向して設けられる。レールは、収容する被収容物をスライド可能、且つ、配置可能な矩形状の開口、及び、前記開口の前記被収容物のスライド方向に沿った縁部に設けられ、対向する前記板部材とは反対側に延びる、前記被収容物のスライド移動を案内するレール部を含む。一対のレールは、前記一対の板部材の対向する位置に形成される。
【図面の簡単な説明】
【０００６】
【図１】第１実施形態のラックの構成を示す正面図。
【図２】同ラックに用いられるサブラックの構成を示す正面図。
【図３】同サブラックの構成を示す平面図。
【図４】同サブラックの構成を示す断面図。
【図５】同サブラックの要部構成を示す斜視図。
【図６】同サブラックの板部材を形成するブランクの構成を示す平面図。
【図７】他の実施形態のラックの構成を示す正面図。
【発明を実施するための形態】
【０００７】
図１は、一実施形態に係るラック１００の構成を示す正面図、図２はラック１００に用いられるサブラック１の構成を示す正面図、図３はサブラック１の構成を示す平面図、図４はサブラック１の構成を図２中ＩＶ−ＩＶ線断面で示す断面図である。図５はサブラック１の板部材１１及びレール１３の構成を拡大して示す斜視図である。図６は板部材１１を形成するブランク２の構成を示す平面図である。
【０００８】
なお、本実施形態において、ラック１００及びサブラック１は、図１に示すように、ラック１００を設置面３００に設置した姿勢において、収容する被収容物２００を挿入する側を正面側とし、ユニット２００のスライド方向を前後方向とし、前後方向及び上下方向の双方に直交する方向を左右方向（幅方向）として、以下説明する。また、本実施形態において、上下方向は、重力方向に沿った方向であり、また、一対の板部材１１が対向する方向である。
【０００９】
図１に示すように、ラック１００は、例えば、フレーム１０１と、被収容物２００を収容する複数のサブラック１と、を備える。ここで、被収容物２００は、例えば、ユニット２００である。ユニット２００は、例えば、複数の電子部品が実装された基板等により構成された電子ユニットである。なお、ユニット２００は、基板が露出していてもよく、また、基板がケース内に収容されていてもよい。
【００１０】
フレーム１０１は、例えば、複数のサブラック１を上下方向に並べて支持する。なお、本実施形態においては、図１に示すように、フレーム１０１は、４つのサブラック１を上下方向に並べて支持し、そしてサブラック１が螺子１０２によってフレーム１０１に固定される例を用いて説明する。
【００１１】
具体例として、フレーム１０１は、例えば、上下方向に延びる一対の板状の第１フレーム１０１ａと、上下方向に直交する複数の第２フレーム１０１ｂと、を含む。なお、フレーム１０１は、この構成に限定されず、例えば、一対の板状の第１フレーム１０１ａではなく、４つ柱状の第１フレーム１０１ａにパネルを設けた構成であってもよい。
【００１２】
第１フレーム１０１ａは、例えば、螺子１０２が螺合する螺子孔を有する。第２フレーム１０１ｂは、例えば、サブラック１を収容するサブラックスロットを区画する。なお、第２フレーム１０１ｂは、螺子１０２によりサブラック１を固定するための螺子１０２が螺合する螺子孔をさらに有していてもよい。また、第２フレーム１０１ｂを設けず、フレーム１０１は、サブラック１を収容するサブラックスロットを区画しない構成であってもよい。即ち、フレーム１０１は、複数のサブラック１を支持可能であれば、その構成は適宜設定可能である。
【００１３】
図１に示すように、サブラック１は、フレーム１０１に螺子１０２等の締結部材によって固定される。図１乃至図４に示すように、サブラック１は、正面が開口するボックス状である。サブラック１は、正面側からユニット２００を挿入してスライド移動できる。また、サブラック１は、収容したユニット２００を支持する。また、例えば、サブラック１は、収容したユニット２００を螺子２０１等により固定できる。
【００１４】
サブラック１は、例えば、複数のユニット２００を、上下方向及び前後方向のそれぞれ直交する左右方向に並べて収容する。
【００１５】
図２乃至図５に示すように、サブラック１は、例えば、一対の板部材１１と、一対の板部材１１を連結する一対の連結部材１２と、一対の板部材１１に設けられたレール１３と、を備える。
【００１６】
図２乃至図５に示すように、板部材１１は、矩形状の板部２１と、板部２１の正面側の縁部に連続して設けられる第１フランジ部２２と、を有する。板部２１の左右方向の幅は、間隔を開けて複数のユニット２００を配置可能な幅に設定される。
【００１７】
板部２１は、複数のユニット２００を対向配置可能な矩形状に形成される。第１フランジ部２２は、板部２１に一体に設けられる。第１フランジ部２２は、例えば、ユニット２００を螺子２０１等により固定可能な孔部２２ａを複数有する。
【００１８】
例えば、図１及び図２に示すように、一対の板部材１１の一方は、サブラック１の天板３１であり、一対の板部材１１の他方は、サブラック１の底板３２である。
【００１９】
図１乃至図４に示すように、一対の連結部材１２は、例えば、天板３１及び底板３２を連結する側板３３である。連結部材１２は、例えば、板部４１と、板部４１の正面側の縁部に連続して設けられる第２フランジ部４２と、を有する。連結部材１２の板部４１は、例えば、リベット止め等により板部材１１に固定される。第２フランジ部４２は、サブラック１を第１フレーム１０１ａに固定する螺子１０２を挿通させる孔部４２ａを複数有する。複数の孔部４２ａは、２フランジ部４２の複数の第１フレーム１０１ａの螺子孔と対向する位置に設けられる。
【００２０】
図１乃至図５に示すように、レール１３は、一対の板部材１１にそれぞれ設けられる。一対のレール１３は、一対の板部材１１の左右方向に複数設けられる。本実施形態においては４組のレール１３が、サブラック１の板部材１１のそれぞれに設けられる。
【００２１】
具体例を説明すると、図２乃至図５に示すように、レール１３は、開口５１と、レール部５２と、を含む。即ち、図２乃至図４に示すように、ユニット２００をスライド可能な一対のレール１３は、一対の開口５１及び一対のレール部５２により構成される。開口５１は、板部材１１に形成される。開口５１は、一方向に延びる矩形状に形成される。開口５１は、一対の板部材１１のそれぞれ対向する位置に設けられる。
【００２２】
具体例として、開口５１は、板部材１１の板部２１の背面側の端部から離間する位置から、板部２１の正面の端部及び第１フランジ部２２の上端側から離間する位置に渡って設けられる。即ち、開口５１の一端は、第１フランジ部２２の上下方向で中途部に配置され、開口５１の他端は、板部２１の後端から離れた位置に設けられる。そして、開口５１は、一端から他端まで、幅が一様に設定され、板部２１及び第１フランジ部２２の一部に設けられる。
【００２３】
例えば、一対の開口５１の一方は、天板３１に設けられ、他方は底板３２に設けられる。開口５１は、ユニット２００のスライド方向に延びる。開口５１は、ユニット２００が配置可能、且つ、ユニット２００をスライド移動可能な形状に形成される。
【００２４】
開口５１の前後方向の長さは、ユニット２００の開口５１に配置される部位の前後方向の長さよりも長い。また、開口５１の幅方向の長さは、ユニット２００の開口５１に配置される部位の幅方向の長さと同じか、又は、若干長い。なお、開口５１の幅方向の長さは、開口５１内でユニット２００をスライド移動させたときに、ユニット２００の移動を案内でき、且つ、スライド移動を阻害しない程度の長さであり、適宜設定される。
【００２５】
また、一対の板部材１１の板部２１に設けられた対向する一対の開口５１の上下方向の間隔は、スライド移動時の姿勢におけるユニット２００の上下方向の長さよりも大きく設定される。また、第１フランジ部２２に設けられた一対の開口５１の対向する端部の間隔は、スライド移動時の姿勢におけるユニット２００の上下方向の長さと同じか、又は、若干大きい。
【００２６】
即ち、一対の板部２１間の距離よりも一対の板部２１の対向方向の長さが大きく設定されたユニット２００を一対の開口５１間に挿入し、ユニット２００のスライド移動を少なくともレール部５２で案内できる構成であれば、一対の開口５１の形状及び距離は、適宜設定できる。
【００２７】
図２乃至図５に示すように、レール部５２は、一対の板部材１１の対向する主面とは反対側の主面から上下方向、且つ、ユニット２００のスライド方向に沿って延びる。換言すると、レール部５２は、板部２１からフランジ部２２と同方向に延びる。
【００２８】
レール部５２は、対向する板部材１１とは反対側に向かって延びる二つのレール片６１により構成される。二つのレール片６１は、板部材１１の一対の板部材１１の対向する主面とは反対の主面側に設けられる。図５に示すように、レール片６１は、板部材１１に一体に形成される。換言すると、図５に示すように、レール片６１は、板部２１の一部により形成される。例えば、レール片６１は、板部材１１の板部２１の一部をＺ曲げすることで形成される。また、レール片６１の長手方向は、ユニット２００のスライド方向に沿って延びる。換言すると、二つのレール片６１は、板部材１１の板部２１に設けられた開口５１の前後方向に沿った縁部にそれぞれ一体に設けられる。
【００２９】
具体的には、図２乃至図５に示すように、レール片６１は、板部材１１の一対の板部材１１の対向する主面とは反対の主面から上下方向に沿って突出する第１案内部６１ａと、第１案内部６１ａの先端から左右方向に沿って、同じ開口５１に設けられるレール片６１に向かって延びる第２案内部６１ｂと、を備える。
【００３０】
レール片６１の第１案内部６１ａは、開口５１に配置されたユニット２００の左右方向の移動を規制する。レール片６１の第２案内部６１ｂは、開口５１に配置されたユニット２００の上下方向の移動を規制する。このように、レール片６１は、スライド方向に直交する二方向で、スライド移動時のユニット２００の移動方向を案内する。
【００３１】
また、一対のレール１３のうち上下方向で下方側に配置されるレール部５２に設けられる二つの第２案内部６１ｂは、その上面によりユニット２００を支持する。本実施形態においては、底板３２に設けられた二つのレール片６１の上面がユニット２００の重力方向の移動を規制し、ユニット２００を支持する。
【００３２】
具体例として、一対のレール部５２のうち一方のレール部５２の二つのレール片６１は、天板３１に一体に形成され、天板３１に設けられた開口５１の前後方向に沿った縁部に設けられる。また、他方のレール部５２の二つのレール片６１は、底板３２に一体に形成され、底板３２に設けられた開口５１の前後方向に沿った縁部に設けられる。
【００３３】
また、レール片６１の前後方向の長さは、板部２１に設けられた開口５１の前後方向の長さよりも若干短く設定される。換言すると、レール部５２の前後方向の端部は、板部２１に設けられた開口５１の端部よりも前後方向で若干中央側に配置される。
【００３４】
次に、板部材１１及びレール１３の製造方法の一例を図５及び図６を用いて説明する。
【００３５】
まず、板部材１１の板部２１及び第１フランジ部２２と同形状以上の板状の金属板を打ち抜き加工し、板部２１及び第１フランジ部２２を展開した形状であるブランク２を形成する。この加工において、ブランク２は、図６に示すように、板部２１及び第１フランジ部２２に渡って形成される各開口５１に二つのレール片６１を展開した形状である、矩形平板状の曲げ部６１Ａが一対配置された開口形状の切り欠き部５１Ａをブランク２に複数形成する。
【００３６】
次に、図６のブランク２から、図５に示すように、ブランク２を曲げ加工して、第１フランジ部２２及びレール部５２を形成する。具体例として、図６のブランク２に二点鎖線で示すように、ブランク２の板部２１及び第１フランジ部２２の境界となる部位を９０度曲げて、板部２１及び第１フランジ部２２を形成する。
【００３７】
加えて、図６のブランク２に二点鎖線で示すように、二つの曲げ部６１Ａを、それぞれＺ曲げ、即ち、二か所で相対する方向に９０度曲げる。このとき、図５に示すように、第１フランジ部２２及びレール部５２が同方向に延びるように、曲げ部６１Ａが曲げられる。これにより、二つの曲げ部６１Ａによって第１フランジ部２２と同方向に延びる二つのレール片６１が形成される。
【００３８】
このように、ブランク２を曲げ加工することで、板部材１１及び板部材１１に設けられる開口５１及びレール部５２を含む複数のレール１３が形成される。
【００３９】
このように構成されたサブラック１によれば、以下の効果を奏する。サブラック１は、一対の第１フランジ部２２に配置された一対の開口５１からユニット２００を挿入できる。また、サブラック１は、一対の板部２１に配置された一対の開口５１をスライド移動でき、そして、一対のレール１３に沿って、移動方向が案内される。また、サブラック１は、ユニット２００を収容するときに、重力方向で下方に位置する二つのレール片６１の第２案内部６１ｂによってユニット２００を支持できるとともに、例えば、第１フランジ部２２にユニット２００を固定できる。
【００４０】
また、レール１３は、一対の板部材１１の一部に設けられた開口５１及び板部材１１の一部により形成されるレール部５２により形成されることから、サブラック１を軽量とすることができる。これは、板部材１１に開口５１を設けることから、板部材１１自体の重量を軽量化できるとともに、レール片６１を板部材１１の一部で形成することで、別途レール部５２を構成するための部材を要しないためである。
【００４１】
また、サブラック１は、開口５１にユニット２００の一部を配置できることから、サブラック１内にユニット２００を配置できる容積を大きくすることができる。具体的に説明すると、サブラック１は、一対の板部材１１及び一対の連結部材１２により形成される。しかしながら、ユニット２００が配置されるスペースは、一対の開口５１よりも一方の板部材１１の対向する主面とは反対側の主面から外方に突出する一対の二つのレール片６１の第２案内部６１ｂの間のスペースとなる。そして、一対の板部材１１の対向方向で、対向する一対の板部材１１の間隔よりも対向する一対の二つの第２案内部６１ｂの間隔が大きい。このため、サブラック１は、一対のレール１３によって形成されるユニット２００を収容するスペースを拡大することが可能となる。
【００４２】
また、サブラック１は、ユニット２００を収容する空間に開口５１が配置されることから、ユニット２００で生じた熱の逃げ道を確保することもできる。また、複数のサブラック１を一方向に並べてラック１００に配置する場合において、サブラック１の内外の空気の流路を確保することができる。
【００４３】
さらに、このようなレール１３を含む板部材１１は、抜き加工及び曲げ加工によって形成できることから、部品点数や製造コストを低減できる。
【００４４】
上述したように、一実施形態に係るサブラック１を備えるラック１００によれば、軽量化が可能、且つ、ユニット２００を収容するスペースを拡大可能となる。
【００４５】
なお、本発明の実施形態は上述した実施形態に限定されない。例えば、図７に示すように、レール１３をラック１００に固定したサブラック１の左右方向に配置する構成であってもよい。このようなサブラック１とする場合には、一対の板部材１１を側板３３とし、そして、一対の連結部材１２の一方を天板３１に、他方を底板３２にすればよい。なお、この場合、第１案内部６１ａがユニット２００の上下方向の移動を規制するとともに、重力方向下方でユニット２００を支持し、そして、第２案内部６１ｂがユニット２００の左右方向の移動を規制する。
【００４６】
さらに、サブラック１は、左右方向及び上下方向の双方にレール１３を設け、配置するユニット２００に応じて左右方向のレール１３及び上下方向のレール１３を選択して使用する構成であってもよい。
【００４７】
また、上述した例では、ラック１００は、サブラック１を上下方向に複数並べてフレーム１０１に配置する構成を説明したがこれに限定されない。例えば、図７に示すように、ラック１００は、サブラック１を左右方向に複数配置する構成であってもよい。
【００４８】
また、サブラック１及びラック１００は、挿入する被収容物２００の形状や重量等に応じて、その形状寸法は適宜設定できる。
【００４９】
また、上述した例では、サブラック１はフレーム１０１に螺子１０２により固定され、そして、被収容物２００は螺子２０１によりサブラック１に固定される例を説明したがこれに限定されない。即ち、フレーム１０１にサブラック１が固定でき、また、サブラック１に被収容物２００を固定できれば、固定するための手段は適宜設定可能である。また、被収容物２００は、背面側にコネクタを有し、サブラック１の背面側にも被収容物２００のコネクタと接続するコネクタを設ける構成としてもよい。また、サブラック１か被収容物２００の例えば背面側に、冷却用のファンを設ける構成であってもよい。
【００５０】
以上述べた少なくともひとつの実施形態のサブラック及びラックによれば、軽量化が可能、且つ、被収容物を収容するスペースを拡大可能となる。
【００５１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５２】
１…サブラック、２…ブランク、１１…板部材、１２…連結部材、１３…レール、２１…板部、２２…第１フランジ部、２２ａ…孔部、３１…天板、３２…底板、３３…側板、４１…板部、４２…第２フランジ部、４２ａ…孔部、５１…開口、５１Ａ…切り欠き部、５２…レール部、６１…レール片、６１Ａ…曲げ部、６１ａ…第１案内部、６１ｂ…第２案内部、１００…ラック、１０１…フレーム、１０１ａ…第１フレーム、１０１ｂ…第２フレーム、１０２…螺子、２００…被収容物（ユニット）、２０１…螺子、３００…設置面。
【図１】
2020191424.tif 000003
【図２】
2020191424.tif 000004
【図３】
2020191424.tif 000005
【図４】
2020191424.tif 000006
【図５】
2020191424.tif 000007
【図６】
2020191424.tif 000008
【図７】
2020191424.tif 000009